(57)【要約】【課題】歩行時においてもずれが生じることなく安定した着用状態を維持できる。【解決手段】母趾用サポーター１０は、中足骨の周囲及び踵骨を含む足部１２を収容するフット部３０、及び連結ベルト３８を備えている。連結ベルト３８は、リング部４０に母趾１４が挿入されて保持された状態で、足部１４の内面側を回って配置されて、係止部４２が、踵２０の裏側の面ファスナー４４に係止されることでフット部３０に連結されることで、母趾１４を外反方向とは反対方向に引っ張って、外反母趾の矯正及び抑制を行う。連結ベルト３８は、引張力が付与された状態で、母趾１４側と踵２０側とに連結されるので、歩行時においてもずれが生じることなく安定した着用状態を維持できる。【選択図】図２
2018166963.tif 000002
【特許請求の範囲】
【請求項１】
中足骨の周囲及び踵骨を含む足部を収容する収容部本体と、
一端側に母趾を包んで保持する母趾保持部が設けられて、前記足部の第１中足骨側側面に沿って設けられる連結ベルトと、
前記足部の踵骨の後側面もしくは前記足部の第５中足骨側側面において、前記連結ベルトに引張力を付与した状態で前記連結ベルトの前記母趾保持部とは反対側の端部を前記収容部本体に連結して前記連結ベルトに部材する連結部と、
を備えた外反母趾用衣類。
【請求項２】
前記連結部への前記連結ベルトの連結位置が変更されることで、前記連結ベルトによる前記母趾保持部の引張力を変更可能にされた請求項１に記載の外反母趾用衣類。
【請求項３】
前記収容部本体には、第２趾から第５趾の爪先側を収容する趾収容部が設けられている請求項１又は請求項２に記載の外反母趾用衣類。
【請求項４】
前記収容部本体には、第２趾から第５趾の各々の爪先側を収容する趾収容部が設けられている請求項１又は請求項２記載の外反母趾用衣類。
【請求項５】
前記収容部本体には、前記母趾保持部に保持される前記母趾を包んで収容する母趾収容部が設けられている請求項１から請求項４の何れか１項に記載の外反母趾用衣類。
【請求項６】
前記収容部本体の前記第１中足骨側側面には、弾性を有する緩衝部材が設けられている請求項１から請求項５の何れか１項に記載の外反母趾用衣類。
【請求項７】
前記収容部本体の足底側には、足の内側アーチの形成を補助する補助緩衝部材が設けられている請求項１から請求項６の何れか１項に記載の外反母趾用衣類。
【請求項８】
前記補助緩衝部材が着脱可能にされている請求項７に記載の外反母趾用衣類。
【請求項９】
前記補助緩衝部材が、前記収容部本体に一体に設けられている請求項７に記載の外反母趾用衣類。
【請求項１０】
前記足部を周回して設けられて該足部と前記補助緩衝部材とを締め付け可能な締結ベルトを備える請求項７から請求項９の何れか１項に記載の外反母趾用衣類。
【発明の詳細な説明】
【技術分野】
【０００１】
本発明は、足に着用して外反母趾の矯正に用いる外反母趾用衣類に関する。
【背景技術】
【０００２】
現在、外反母趾を矯正するための様々な衣類あるいはサポーターが知られている。
足に装着して使用している場合に、母趾を正常な姿勢に矯正する力が作用しなくなる事態を防止すると共に、履いて装着する作業とは別に母趾を内方に引っ張る状態を確保するための作業を装着者などに要求することなく、取り扱い性や装着感に優れた外反母趾矯正用サポーターとして、袋状の母趾収容部に爪先側から母趾を収容すると共に、連結部により母趾収容部が連結され、少なくとも第１中足骨を外反方向へ締め付けた状態で被覆し得る筒状の第１中足骨締付部によって甲及び足底を被覆した装着状態において、連結部を跨いで一端部を母趾収容部に固定し且つ他端部を第１中足骨締付部に固定した伸縮可能、且つ連結部よりも強い引っ張り力が作用した状態で足の内側に沿う位置に配置された補強ベルトにより、母趾収容部を第１中足骨締付部に引っ張るようにした外反母趾矯正用サポーターが知られている（例えば、特許文献１参照）。
【０００３】
また、外反母趾及び内反小指により内側に入り込んでしまう親指と小指を外向きに広げた状態を長時間保つように個々の症状に合せて開き具合を調整でき、デザイン性の高い外反母趾及び内反小指予防矯正サポーターとして、外反母趾及び内反小指の異なる症状に合せて親指と小指を外側へ広げる割合を調整可能ベルトにより調整するようにした外反母趾及び内反小指予防矯正サポーターが知られている（例えば、特許文献２参照）。
【０００４】
更に、母趾と第２趾との間に何か入れて広げると第２趾が第３趾の方に寄ってしまう。また、母趾ボール部が飛び出したままの親指の付け根に向かい押し込むと更に母趾ボール部が曲がる。このために、何れにおいても外反母趾が改善されないことから、外反母趾を改善するための外反母趾ストレッチサポーターとして、サポーター本体に設けられた足の底部と足の甲と親指を包み込む親指収納部の本体内側に帯状の紐を取り付け、帯状の紐の先端部を外側に引っ張った状態に保持するようにして、サポーター本体の面ファスナーに固定するようにした外反母趾ストレッチサポーターが知られている（例えば、特許文献３参照）。
【先行技術文献】
【特許文献】
【０００５】
【特許文献１】特開２０１３−０３４７４２号公報
【特許文献２】特開２００７−３３０７４３号公報
【特許文献３】特開２０１６−０６７８７２号公報
【発明の概要】
【発明が解決しようとする課題】
【０００６】
ところで、外反母趾の矯正や抑制のための外反母趾用衣類には、着用が容易であることは勿論、歩行時においてもずれが生じることなく、安定した着用状態を維持できることが望まれる。
【０００７】
本発明は上記事実を鑑みて成されたものであり、歩行時においてもずれが生じることなく安定した着用状態を維持できる外反母趾用衣類を提供することを目的とする。
【課題を解決するための手段】
【０００８】
上記課題を解決するための具体的手段は、以下の通りである。
＜１＞  中足骨の周囲及び踵骨を含む足部を収容する収容部本体と、一端側に母趾を包んで保持する母趾保持部が設けられて、前記足部の第１中足骨側側面に沿って設けられる連結ベルトと、前記足部の踵骨の後側面もしくは前記足部の第５中足骨側側面において、前記連結ベルトに引張力を付与した状態で前記連結ベルトの前記母趾保持部とは反対側の端部を前記収容部本体に連結して前記連結ベルトに部材する連結部と、を備えた外反母趾用衣類。
【０００９】
＜２＞  前記連結部への前記連結ベルトの連結位置が変更されることで、前記連結ベルトによる前記母趾保持部の引張力を変更可能にされた＜１＞の外反母趾用衣類。
＜３＞  前記収容部本体には、第２趾から第５趾の爪先側を収容する趾収容部が設けられている＜１＞１又は＜２＞の外反母趾用衣類。
＜４＞  前記収容部本体には、第２趾から第５趾の各々の爪先側を収容する趾収容部が設けられている＜１＞又は＜２＞の外反母趾用衣類。
＜５＞  前記収容部本体には、前記母趾保持部に保持される前記母趾を包んで収容する母趾収容部が設けられている＜１＞から＜４＞の何れかの外反母趾用衣類。
＜６＞  前記収容部本体の前記第１中足骨側側面には、弾性を有する緩衝部材が設けられている＜１＞から＜５＞の何れかの外反母趾用衣類。
【００１０】
＜７＞  前記収容部本体の足底側には、足の内側アーチの形成を補助する補助緩衝部材が設けられている＜１＞から＜６＞の何れかの外反母趾用衣類。
＜８＞  前記補助緩衝部材が着脱可能にされている＜７＞の外反母趾用衣類。
＜９＞  前記補助緩衝部材が、前記収容部本体に一体に設けられている＜７＞の外反母趾用衣類。
＜１０＞  前記足部を周回して設けられて該足部と前記補助緩衝部材とを締め付け可能な締結ベルトを備える＜７＞から＜９＞の何れかの外反母趾用衣類。
【発明の効果】
【００１１】
本発明によれば、歩行時においてもずれが生じることなく安定した装着状態を維持できる、という効果を有する。
【図面の簡単な説明】
【００１２】
【図１】本実施の形態に係る母趾用サポーターを示す斜視図である。
【図２】母趾用サポーターの装着状態を示す足部の側面図である。
【図３】足底パッドを設けた母趾用サポーターの装着状態を示す足部の側面図である。
【発明を実施するための形態】
【００１３】
以下に、本実施の形態の外反母趾用衣類について説明する。
本実施の形態に係る外反母趾用衣類は、人の足（足部）に着用される。
【００１４】
本明細書中において「足部」は、下肢（脚）において踝より下側を指し、本明細書中の説明では、足部を足ともいう。
本明細書中において、収容部本体の「前方」は、足部の「前方」と同様であり、踝（踝骨）から爪先に向かう方向を指す。また、本明細書中において、収容部本体の「上方」は、足部の「上方」を指し、収容部本体の「側方」は、足部の側方（左右方向）を指す。また、本明細書中おいて、足部の左右方向を幅方向ともいい、足の側方の面のうちで、第１中足骨側の面を足の「内面」ともいう。
本明細書中において、「中足骨」には、母趾に繋がる第１中足骨から第５趾（小指）に繋がる第５中足骨を含まれる。
【００１５】
本実施の形態の外反母趾用衣類は、中足骨の周囲及び踵骨を含む足部を収容する収容部本体と、一端側に母趾の周囲を包んで保持する母趾保持部が設けられて、足部の第１中足骨側側面に沿って配置された連結ベルトと、足部の踵骨の後側において、連結ベルトに引張力を付与した状態で連結ベルトの母趾保持部とは反対側の端部を収容部本体に連結する連結部と、を備えた外反母趾用衣類である。
【００１６】
本実施の形態の外反母趾用衣類は、上記構成を有することにより、歩行時においてもずれが生じることなく安定した装着状態を維持できる。
【００１７】
以下に、本実施の形態の外反母趾衣類について、具体的に説明する。
図１には、本実施の形態の外反母趾用衣類としての母趾用サポーター１０が前側かつ左斜め上方視の斜視図にて示されており、図２には、母趾用サポーター１０を着用した状態が前側かつ左斜め上方視の斜視図にて示されている。各図において、母趾用サポーター１０の前方が矢印ＦＲにて示され、内方が矢印ＩＮにて示され、上方が矢印ＵＰにて示されている。
【００１８】
図２に示すように、一般に足部１２は、母趾（親指）１４などの足趾１６、足趾１６の根元側の前足部１８、踵２０側の後足部２２、及び前足部１８と後足部２２の間の中足部２４に分けられており、中足骨は、前足部１８と中足部２４に跨っている。前足部１８から後足部２２の間には、足部１２の内側において中足部２４部分の足底が上方に凸状となるように湾曲して見える内側アーチが形成されると共に、足部１２の外側において中足部２４部分の足底が上方に凸状となるように湾曲して見える外側アーチが形成され、外側アーチは、内側アーチよりも湾曲が小さくなっている。
【００１９】
図１及び図２に示すように、母趾用サポーター１０には、収容部本体としての略袋状のフット部３０が設けられている。フット部３０は、布製にされており、フット部３０には、前足部１８、及び中足部２４の前側部分が収容されると共に、中足部２４及び後足部２２の側方から下側（足底側）部分が収容される。また、フット部３０には、足部１２の踵２０部分が包まれる。
【００２０】
フット部３０は、後側の上面が開口されており、開口の周囲には、口ゴム部３２が設けられている。母趾用サポーター１０は、口ゴム部３２において足部１２の足趾１６側から挿入されて着用される。
【００２１】
フット部３０の前側には、袋状の母趾収容部３４及び各々が袋状にされた趾収容部３６Ａ、３６Ｂ、３６Ｃ、３６Ｄが設けられている。母趾収容部３４、及び趾収容部３６Ａ〜３６Ｄの各々は、内部がフット部３０内に連通されている。母趾収容部３４には、母趾１４が収容される。また、趾収容部３６Ａ、３６Ｂ、３６Ｃ、３６の各々には、第２趾１６Ａ、第３趾１６Ｂ、第４趾１６Ｃ、及び第５趾（小指）１６Ｄの各々が収容される。母趾１４、第１趾１６Ａ〜第５趾１６Ｄの各々は、各々の爪先まで包まれた状態で収容される。
【００２２】
一方、母趾用サポーター１０には、連結ベルト３８が取り付けられる。連結ベルト３８は、帯状の弾性素材が用いられており、長手方向に弾性変形して伸長可能にされており、非伸長時の連結ベルト３８の長さが、足部１２の内側の側面において、母趾１４の近傍から踵２０の近傍に達する長さにされている。
【００２３】
連結ベルト３８の長手方向の一端側には、母趾保持部としての筒状のリング部４０が取り付けられており、連結ベルト３８の長手方向の他端側（リング部４０とは反対側）には、布片状の係止部４２が取り付けられている。
【００２４】
リング部４０は、長手方向に沿って伸長可能な弾性を有する帯状部材が用いられており、リング部４０は、帯状部材の長手方向の両端が相互に接続されることで筒状に形成されている。リング部４０には、母趾１４が挿入される。この際、リング部４０を周方向に伸長させながら母趾１４が挿入されることで、リング部４０は、母趾１４の周囲を包んで弾性力により保持する。なお、母趾保持部の形状は、筒状に限らず、母趾１４を保持することが可能な形状であれば良く、例えば、母趾１４の先端側（爪先側）と周囲を包む形状（袋状など）であっても良い。
【００２５】
また、リング部４０は、外周面の一部が連結ベルト３８に重ねられた状態で、重なり部分が連結ベルト３８に縫合されている。なお、連結ベルト３８へのリング部４０の取り付けは、縫合に限らず、接着、溶着等の接続手段を用いることができる。
【００２６】
連結ベルト３８は、リング部４０に母趾１４が挿入されて、一端側が母趾１４側に係止された状態で、足部１２の内面側に沿って延伸されて、係止部４２が、足部１２の踵２０側（踵２０の後側）に回される。
【００２７】
フット部３０の踵２０側の後面には、連結部を構成する面ファスナー４４が設けられており、面ファスナー４４は、踵２０の右側面側（母趾１４側）から左側面側（母趾１４とは反対側）の範囲で踵２０の後側を包むように設けられている。なお、面ファスナー４４は、踵２０の後側のみに限らず、踵２０の右側面側（母趾１４側）から母趾１４とは反対側の第５中足骨の側面（図示省略）の範囲に設けられても良い。
【００２８】
この面ファスナー４４には、連結ベルト３８の係止部４２が係止される。即ち、係止部４２の連結ベルト３８のリング部４０側の面には、面ファスナー４４に係合される面ファスナーが設けられている。面ファスナー４４と係止部４２とは、一方に複数のフックが形成され、他方にフックに係合される複数のループが形成されている。これにより、係止部４２は、面ファスナー４４上の任意の位置に面接合して係合可能にされており、係止部４２が面ファスナー４４に係合されることで、連結ベルト３８がフット部３０に連結される。なお、係止部４２が、踵２０後側に加えて第５中足骨の側面の面ファスナー４４に係止されるように、連結ベルト３８上の複数個所や所定位置及び範囲に係止部４２が設けられても良い。
【００２９】
母趾用サポーター１０には、緩衝部材としてのパッド４６が設けられている。パッド４６には、ゲル素材、ウレタン発泡材、各種の低反発素材などが用いられて弾力性を有する素材が用いられて、板状略半円状に形成されており、袋状の布製のカバー(図示省略)に収容されている。パッド４６は、第１中足骨の外側となる前足部１８の内面側に対向され、かつ円弧側が下側にされて、フット部３０内に取り付けられている。パッド４６は、カバーがフット部３０の内面に縫合されるなどして、フット部３０に取り付けられている。
【００３０】
次に、母趾用サポーター１０の作用を説明する。
上記構成の母趾用サポーター１０は、足部１２が口ゴム部３２の開口から挿入されて着用される。また、連結ベルト３８は、母趾収容部３４に収容された母趾１４がリング部４０に挿入された状態で、足部１２の内面側に沿って引き回されて、係止部４２が面ファスナー４４に係合されることで、フット部３０に取り付けられる。このため、母趾用サポーター１０は、着用が容易になっている。
【００３１】
ここで、フット部３０には、母趾収容部３４及び趾収容部３６Ａ〜３６Ｄが設けられている、母趾１４、第２趾１６Ａ〜第５趾１６Ｄの各々が収容される。このため、フット部３０が足部１２に対して位置決めされると共に、歩行時にずれが生じるのが抑制されて、安定した着用状態を維持できる。
【００３２】
一方、外反母趾が生じていると、母趾１４は、先端側が外側（第５趾１６Ｄ側）に向けて曲がった状態になる。
【００３３】
母趾用サポーター１０の連結ベルト３８は、長手方向に弾性を有しており、係止部４２は、面ファスナー４４上の任意の位置に係合可能にされている。また、連結ベルト３８を引っ張った状態で係止部４２を面ファスナー４４に係止することで、連結ベルト３８に引張力を生じさせることができる。
【００３４】
このため、リング部４０が連結ベルト３８によって引っ張られることで、母趾１４は、足部１２の内面側（第５趾１６Ｄとは反対側）に引っ張られる。これにより、母趾１４の外反が抑制できて、母趾用サポーター１０を継続的に着用することで、外反母趾を矯正できる。また、母趾１４の外反（外反母趾）が生じていない場合は、母趾用サポーター１０を着用することで、母趾１４の外反が生じるのを抑制できる。しかも、係止部４２が踵２０の後側もしくは足部１２の外面側（母趾１４とは反対側）に回されて連結されるので、連結ベルト３８を足部１２の内面側に安定させて保持できる。
【００３５】
また、連結ベルト３８は、係止部４２の面ファスナー４４への係合位置を変えることができ、係合位置を変えることで引張力を調整できる。これにより、母趾１４を足部１２の内面側に引っ張る力を調整できるので、母趾１４の外反の症状に応じた引張力の調整を容易にできる。
【００３６】
さらに、連結ベルト３８は、一端側が母趾１４に連結されると共に、他端側が足部１２の踵２０側に連結されている。このため、母趾用サポーター１０を着用した状態で歩行しても、連結ベルト３８がずれるのを抑制できて、母趾用サポーター１０の安定した着用状態を維持できる。
【００３７】
一方、母趾１４の外反が生じていると、第１中足骨の前側が足部１２の内面側に向いてしまい足部１２の前足部１８に内面側に向けて突出する膨らみが生じる。歩行時に、前足部１８に生じた膨らみが、連結ベルト３８とこすれることで、痛みを生じる可能性がある。
【００３８】
ここで、フット部３０には、前足部１８の内面側にパッド４６が設けられており、前足部１８に内面側に生じた膨らみと連結ベルト３８との間にパッド４６が介在される。このため、連結ベルト３８により母趾１４が引っ張られることにより、前足部１８に痛みが生じるのを抑制できる。また、パッド４６は、歩行時に、前足部１８の内面側が連結ベルト３８に擦れるのを防止できて、前足部１８の内面側が連結ベルト３８に擦れることによる痛みや不快感が生じるのを抑制できる。しかも、パッド４６が連結ベルト３８を前足部１８から離れる方向へ突出さ、パッド４６が支点になってリング部４０が内反方向（外反方向とは反対方向）に引っ張られるので、母趾１４の外反の矯正効果及び抑制効果を向上できる。
【００３９】
一方、本実施の形態の母趾用サポーター１０には、補助緩衝部材としての足底パッド５０を設けることができる。図３には、足底パッド５０を設けた母趾用サポーター１０の着用状態が足部１２を内面側から見た側面図にて示されている。
【００４０】
一般に、足部１２の内面側には、内側アーチが形成され、これにより、足部１２の中足部２４の底面が足部１２の下側から見て窪んでいる（所謂、土踏まず）。
【００４１】
足底パッド５０には、ゲル素材、ウレタン発泡材、各種の低反発素材などの弾性を有する素材が用いられている。足底パッド５０は、平面視で足部１２の底面のくぼみよりも大きくされた略半円形状にされると共に、足部１２の内面側からの側方視で足部１２の底面のくぼみよりも大きくされた凸状にされている（図示省略）。また、足底パッド５０の大きさは、一般的な土踏まずのくぼみに合わせた大きさ又は理想的な土踏まずのくぼみに合わせた大きさを適用できる。
【００４２】
足底パッド５０は、布製袋状の図示しないカバーに収容され、カバーがフット部３０の底面側において、中足部２４の足底の足部１２内面側に配置されて、フット部３０に縫合されて取り付けられている。
【００４３】
一般に、外反母趾と内側アーチとが関連しており、外反母趾が生じていると内側アーチも小さくなるか内側アーチがなくなる（所謂偏平足になる）。
【００４４】
ここで、母趾用サポーター１０に足底パッド５０が設けられることで、母趾用サポーター１０が着用された足部１２は、中足部２４が足底パッド５０により持ち上げられて、内側アーチが形成される状態となる。このため、内側アーチが小さくなっている場合には、内側アーチが大きくなるように矯正して、外反母趾の矯正及び外反母趾が生じるのを抑制できる。
【００４５】
また、足底バッド５０が母趾用サポーター１０に取り付けられているので、靴を履いていない状態であっても、足底パッド５０を用いることができると共に、歩行時に足底パッド５０がずれてしまうのを防止できる。
【００４６】
なお、足底パッド５０をフット部３０に縫合して取り付けるように説明したが、これに限らず、足底パッド５０は、フット部３０に着脱可能にされても良い。足底パッド５０を着脱可能にする場合、図３に二点鎖線で示すように、締結部材としての締結ベルト５２を用い、中足部２４の甲側と足底側とを周回させた締結ベルト５２によって足底パッド５０を足部１２（又は足部１２に着用されたフット部３０）に締結しても良い。しかも、締結ベルト５２を締結することにより、連結ベルト３８に締結できるので、歩行時などにおいて連結ベルト３８がずれるのを一層抑制できる。
【００４７】
このような締結ベルト５２は、例えば、長手方向の両端部に面ファスナーを設けて、足部１２の甲側（上面側）において、面ファスナー同士を係合させることで締結されるようにしても良く、これに限らず、締結ベルト５２は、他の締結手段を適用できる。また、締結ベルト５２は、足底パッド５０に一体に設けられていても良く、これにより、足底パッド５０がずれるのを防止できる。また、締結ベルト５２は、長手方向に伸縮性を有する素材を用いても良く、これにより、足底パッド５０を取り付ける際の締結力を調整できて、足部１２が不必要に締め付けられるのを抑制できる。
【００４８】
また、足底パッド５０の取り付けは、面ファスナー等を用いても良い。締結ベルト５２や面ファスナーを用いることで、足底パッド５０の取り付け位置の調整を容易にできる。
【００４９】
また、足底パッド５０を着脱可能にすることで、例えば、内側アーチの矯正状態に合せて足底パッド５０の大きさ（アーチサイズの大きさ）を変えることができる。即ち、アーチサイズの異なる複数サイズ（例えば、大、中、小）の足底パッド５０を容易し、実際の足部１２の内側アーチの状態に応じて、足底パッド５０を交換することで、内側アーチの矯正を効果的に行うことができる。
【００５０】
なお、以上説明した本実施の形態では、弾性素材を用いた連結ベルト３８を例に説明したが、弾性素材に限らず、弾性を有しない素材（伸長しないか又は伸長率が小さい素材）を用いても良い。係止部４２は、面ファスナー４４の任意の位置で係合可能にされているので、弾性を有しない素材を用いた連結ベルトであっても、面ファスナー４４への係止部４２の係合位置（連結位置）を調整することで、母趾１４に対する引張力を容易に調整できる。しかも、弾性を有しない素材を用いた連結ベルトを用いることで、母趾１４に対する引張力を固定できる。
【００５１】
また、本実施の形態では、収容部本体としてのフット部３０に母趾収容部３４及び趾収容部３６Ａ〜３６Ｄを設けた。しかしながら、収容部本体は、母趾収容部及び趾収容部を設けていない構成であっても良い。この場合、収容部本体に母趾１４、及び第２趾１６Ａ〜第５趾１６Ｄの各々に対応する位置に指孔を設けておけば良く、これにより、収容部本体にずれが生じることなく、足部１２に対して位置決めできる。
【００５２】
また、趾収容部は、第２趾１６Ａ〜第５趾１６Ｄを一体に収容する袋状にされても良い。この場合、趾収容部に一体で収容される第２趾１６Ａ〜第５趾１６Ｄにより収容部本体を足部に対して位置決めできる。
【００５３】
以上説明したように、本実施の形態の外反母趾用衣類は、連結部への連結ベルトの連結位置が変更されることで、連結ベルトによる母趾保持部の引張力を変更可能にされることが好ましい。これにより、母趾を足部の内側かつ後側に引く引張力を調整できる。
【００５４】
また、本実施の形態の外反母趾用衣類は、収容部本体には、第２趾から第５趾を一体として、もしくは第２趾から第５趾の各々の爪先側を収容する趾収容部が設けられていることが好ましい。これにより、連結部が設けられた収容部本体を足部に対して位置決めできて、母趾を引っ張る引張聴力を安定化できる。
【００５５】
また、本実施の外反母趾用衣類は、収容部本体には、保持部に保持される母趾を包んで収容する収容部が設けられていることが好ましい。これにより、母趾を保護できると共に、母趾が保持部から直接的に引張力を受けるのを抑制できる。
更に、本実施の形態の外反母趾用衣類は、収容部本体の第１中足骨側側面には、弾性を有する緩衝部材が設けられていても良い。これにより、第１中足骨を押さえることができると共に、連結ベルトにより母趾を内方側（外方側）に引っ張る効果を向上できる。
【００５６】
また、本実施の形態の外反母趾用衣類は、収容部本体の足底側には、足の内側アーチの形成を補助する補助緩衝部材が設けられても良い。これにより、足部の土踏まずを押し上げて内側アーチを形成するのを補助できる。
また、本実施の形態の外反母趾用衣類は、補助緩衝部材が着脱可能にされていても良く、補助緩衝部材が、収容部本体に一体に設けられていても良い。
【００５７】
更に、本実施の形態の外反母趾用衣類は、足を周回して設けられて足と補助緩衝部材とを締め付け可能な締結ベルトを備えることが好ましい。これにより、歩行時に補助緩衝部材がずれるのを抑制できて、補助緩衝部材による内側アーチの形成効果を向上できる。
【符号の説明】
【００５８】
１０    母趾用サポーター（外反母趾用衣類）
３０    フット部（収容部本体）
３４    母趾収容部
３６Ａ〜３６Ｄ    趾収容部
３８    連結ベルト
４０    リング部（母趾保持部）
４２    係止部（連結部）
４４    面ファスナー（連結部）
４６    パッド（緩衝部材）
５０    足底パッド（補助緩衝部材）
５２    締結ベルト（締結部材）
【図１】
2018166963.tif 000003
【図２】
2018166963.tif 000004
【図３】
2018166963.tif 000005